(57)【要約】【課題】線状体の内部に形成された流路内に、液体を容易かつ確実に供給し得る医療用具を提供すること。【解決手段】カテーテル１は、その内部の長手方向に沿って形成され、かつ先端部に開放する、液体を移送可能な流路４と、この流路４内の少なくとも先端部に収納され、液体を吸収して保持する機能を有する吸収剤５とを有するカテーテル本体２を有している。このカテーテル本体２は、流路４内に液体を注入したとき、吸収剤５が液体を吸収して膨潤することにより流路４を閉塞し、液体が流路４の先端から流出するのを防止するよう構成されている。また、吸収剤５は、液体を吸収することによりゲル化するものであるのが好ましい。【選択図】図１
2007260306.tif 000002
【特許請求の範囲】
【請求項１】
先端から生体内に挿入して使用される長尺な線状体を備える医療用具であって、
前記線状体は、その内部の長手方向に沿って形成され、かつ先端部に開放する、液体を移送可能な流路と、
該流路内の少なくとも先端部に収納され、前記液体を吸収して保持する機能を有する吸収剤とを有し、
前記流路内に前記液体を注入したとき、前記流路内の気体が前記液体と置換され、前記吸収剤が前記液体を吸収して膨潤することを特徴とする医療用具。
【請求項２】
前記流路は、その先端部に前記気体を前記線状体外に排出する排出路を有し、
前記吸収剤は、前記液体を吸収して膨潤することにより前記排出路の少なくとも一部を閉塞し、前記液体が前記線状体外に流出するのを防止するよう構成されている請求項１に記載の医療用具。
【請求項３】
前記吸収剤は、前記液体を吸収することによりゲル化するものである請求項１または２に記載の医療用具。
【請求項４】
前記吸収剤は、１ｇあたり５ｇ以上の前記液体を吸収するものである請求項１ないし３のいずれかに記載の医療用具。
【請求項５】
前記吸収剤は、多孔質体で構成されている請求項１ないし４のいずれかに記載の医療用具。
【請求項６】
前記吸収剤を複数有し、
複数の前記吸収剤が、前記流路の長手方向に沿って、ほぼ一定の間隔で収納されている請求項１ないし５のいずれかに記載の医療用具。
【請求項７】
前記流路の少なくとも先端部は、前記線状体の全周にわたって形成されている請求項１ないし６のいずれかに記載の医療用具。
【請求項８】
前記流路は、前記線状体の周方向の一部に形成されている請求項１ないし７のいずれかに記載の医療用具。
【請求項９】
前記流路は、その先端部に横断面積が減少した横断面積減少部を有する請求項１ないし８のいずれかに記載の医療用具。
【請求項１０】
最も先端側に位置する前記吸収剤は、前記横断面積減少部より基端側であって、前記横断面積減少部の近傍に収納されている請求項９に記載の医療用具。
【請求項１１】
前記線状体は、内管と、該内管の外周側に設けられた外管とを備え、
前記流路は、前記内管と前記外管との間に形成されている請求項１ないし１０のいずれかに記載の医療用具。
【請求項１２】
前記流路は、その先端が前記内管の内腔に開放している請求項１１に記載の医療用具。
【請求項１３】
前記流路を閉塞し得る弁を備え、
該弁は、前記吸収剤が前記液体を吸収して膨潤することにより、前記流路を閉塞するよう構成されている請求項１ないし１２のいずれかに記載の医療用具。
【請求項１４】
前記吸収剤は、その一部が前記内管または前記外管に埋設されており、前記吸収剤が前記液体を吸収して膨潤することにより、前記吸収剤が埋設された箇所において、前記内管と前記外管とが密着して、前記流路を閉塞するよう構成されている請求項１ないし１３のいずれかに記載の医療用具。
【請求項１５】
前記線状体は、コア部と、該コア部の少なくとも先端側を覆うように設けられた被覆層とを備え、
前記流路は、前記コア部と前記被覆層との間に形成されている請求項１ないし１０のいずれかに記載の医療用具。
【請求項１６】
さらに、前記線状体の基端側に設けられたハブを有し、
前記流路は、その基端側が前記ハブの側方に開放している請求項１ないし１５のいずれかに記載の医療用具。
【請求項１７】
前記流路の内面の少なくとも一部に、イオン化することによりＭＲＩ造影性を示すイオン性物質が付与されており、
必要時に、前記流路内に前記イオン性物質を溶解し得る溶解液を注入して使用される請求項１ないし１６のいずれかに記載の医療用具。
【請求項１８】
必要時に、造影性を示す液状の造影剤を注入して使用される請求項１ないし１６のいずれかに記載の医療用具。
【請求項１９】
当該医療用具は、カテーテル、ガイドワイヤまたは針体である請求項１ないし１８のいずれかに記載の医療用具。
【発明の詳細な説明】
【技術分野】
【０００１】
本発明は、医療用具に関するものである。
【背景技術】
【０００２】
近年、医療において、例えば、カテーテルと呼ばれる細長い中空管状の医療用具を用いて様々な形態の治療が行われている。
【０００３】
このようなカテーテルでは、管壁の内部に形成された流路（ルーメン）内に、造影剤を注入して、造影下に生体内における先端位置を視認すること（例えば、特許文献１参照。）や、流路内に液体を注入して、先端部に設けられたバルーンを拡張させること（例えば、特許文献２参照。）等が行われることがある。
【０００４】
特許文献１には、流路がカテーテルの両端で開口しており、基端にコックを設け、このコックを閉じることにより、流路内に造影剤を保持する構成のカテーテルが開示されている。
【０００５】
しかしながら、かかる構成のカテーテルでは、コックの誤動作により、コックが開状態となると、先端から造影剤が生体内に流出することになる。また、コックが閉じられている時であっても、カテーテル先端の開口に血液等の体液が接触することで、造影剤が容易に生体内に流出することがある。これらの場合、造影剤の種類や濃度等によっては、患者に悪影響を及ぼすことがある。
【０００６】
一方、特許文献２には、流路が先端で閉塞しており、基端が分岐ハブの開口部に開口した構成のカテーテル（バルーンカテーテル）が開示されている。
【０００７】
しかしながら、かかる構成のカテーテルでは、流路の一端が閉塞しているため、流路内に十分な量の液体を注入する場合、例えば、分岐ハブの開口部に三方活栓の付いたシリンジを接続し、流路内へ液体を注入する操作と、流路内から気体を除去する操作とを繰り返し行わざるを得ず煩雑である。
【０００８】
【特許文献１】特表２００２−５１６１３２号公報
【特許文献２】特開２０００−１０７２９３号公報
【発明の開示】
【発明が解決しようとする課題】
【０００９】
本発明の目的は、線状体の内部に形成された流路内に、液体を容易かつ確実に供給し得る医療用具を提供することにある。
【課題を解決するための手段】
【００１０】
このような目的は、下記（１）〜（１９）の本発明により達成される。
（１）  先端から生体内に挿入して使用される長尺な線状体を備える医療用具であって、
前記線状体は、その内部の長手方向に沿って形成され、かつ先端部に開放する、液体を移送可能な流路と、
該流路内の少なくとも先端部に収納され、前記液体を吸収して保持する機能を有する吸収剤とを有し、
前記流路内に前記液体を注入したとき、前記流路内の気体が前記液体と置換され、前記吸収剤が前記液体を吸収して膨潤することを特徴とする医療用具。
【００１１】
（２）  前記流路は、その先端部に前記気体を前記線状体外に排出する排出路を有し、
前記吸収剤は、前記液体を吸収して膨潤することにより前記排出路の少なくとも一部を閉塞し、前記液体が前記線状体外に流出するのを防止するよう構成されている上記（１）に記載の医療用具。
【００１２】
（３）  前記吸収剤は、前記液体を吸収することによりゲル化するものである上記（１）または（２）に記載の医療用具。
【００１３】
（４）  前記吸収剤は、１ｇあたり５ｇ以上の前記液体を吸収するものである上記（１）ないし（３）のいずれかに記載の医療用具。
【００１４】
（５）  前記吸収剤は、多孔質体で構成されている上記（１）ないし（４）のいずれかに記載の医療用具。
【００１５】
（６）  前記吸収剤を複数有し、
複数の前記吸収剤が、前記流路の長手方向に沿って、ほぼ一定の間隔で収納されている上記（１）ないし（５）のいずれかに記載の医療用具。
【００１６】
（７）  前記流路の少なくとも先端部は、前記線状体の全周にわたって形成されている上記（１）ないし（６）のいずれかに記載の医療用具。
【００１７】
（８）  前記流路は、前記線状体の周方向の一部に形成されている上記（１）ないし（７）のいずれかに記載の医療用具。
【００１８】
（９）  前記流路は、その先端部に横断面積が減少した横断面積減少部を有する上記（１）ないし（８）のいずれかに記載の医療用具。
【００１９】
（１０）  最も先端側に位置する前記吸収剤は、前記横断面積減少部より基端側であって、前記横断面積減少部の近傍に収納されている上記（９）に記載の医療用具。
【００２０】
（１１）  前記線状体は、内管と、該内管の外周側に設けられた外管とを備え、
前記流路は、前記内管と前記外管との間に形成されている上記（１）ないし（１０）のいずれかに記載の医療用具。
【００２１】
（１２）  前記流路は、その先端が前記内管の内腔に開放している上記（１１）に記載の医療用具。
【００２２】
（１３）  前記流路を閉塞し得る弁を備え、
該弁は、前記吸収剤が前記液体を吸収して膨潤することにより、前記流路を閉塞するよう構成されている上記（１）ないし（１２）のいずれかに記載の医療用具。
【００２３】
（１４）  前記吸収剤は、その一部が前記内管または前記外管に埋設されており、前記吸収剤が前記液体を吸収して膨潤することにより、前記吸収剤が埋設された箇所において、前記内管と前記外管とが密着して、前記流路を閉塞するよう構成されている上記（１）ないし（１３）のいずれかに記載の医療用具。
【００２４】
（１５）  前記線状体は、コア部と、該コア部の少なくとも先端側を覆うように設けられた被覆層とを備え、
前記流路は、前記コア部と前記被覆層との間に形成されている上記（１）ないし（１０）のいずれかに記載の医療用具。
【００２５】
（１６）  さらに、前記線状体の基端側に設けられたハブを有し、
前記流路は、その基端側が前記ハブの側方に開放している上記（１）ないし（１５）のいずれかに記載の医療用具。
【００２６】
（１７）  前記流路の内面の少なくとも一部に、イオン化することによりＭＲＩ造影性を示すイオン性物質が付与されており、
必要時に、前記流路内に前記イオン性物質を溶解し得る溶解液を注入して使用される上記（１）ないし（１６）のいずれかに記載の医療用具。
【００２７】
（１８）  必要時に、造影性を示す液状の造影剤を注入して使用される上記（１）ないし（１６）のいずれかに記載の医療用具。
【００２８】
（１９）  当該医療用具は、カテーテル、ガイドワイヤまたは針体である上記（１）ないし（１８）のいずれかに記載の医療用具。
【発明の効果】
【００２９】
本発明によれば、流路内に液体を注入した際に、この液体を容易かつ確実に先端部にまで供給することができる。
【００３０】
また、線状体の内部に形成された流路の少なくとも先端部に吸収剤が収納されているので、この吸収剤が液体を吸収して膨潤することにより流路を閉塞するため、流路の先端からの液体の流出を防止することができる。
【発明を実施するための最良の形態】
【００３１】
以下、本発明の医療用具を添付図面に示す好適実施形態に基づいて詳細に説明する。
＜カテーテル＞
まず、本発明の医療用具をカテーテルに適用した場合について説明する。
【００３２】
＜＜第１実施形態＞＞
まず、カテーテルの第１実施形態について説明する。
【００３３】
図１は、本発明の医療用具を適用したカテーテルの第１実施形態を示す縦断面図、図２は、図１中のＡ−Ａ線断面図（ａ）およびＢ−Ｂ線断面図（ｂ）である。なお、以下では、説明の都合上、図１中の右側を「基端」、左側を「先端」と言う。
【００３４】
図１に示すカテーテル１は、可撓性を有するカテーテル本体（長尺な線状体）２と、カテーテル本体２の基端側に設けられたハブ３とを有している。
【００３５】
カテーテル本体２は、先端から生体（例えば血管等の管状器官）内に挿入して使用される部位である。
【００３６】
このカテーテル本体２は、その内部の長手方向に沿って形成され、かつ先端部に開放する、液体を移送可能な流路４と、流路４の先端部に収納され、前記液体を吸収して保持する機能を有する吸収剤５とを有している。
【００３７】
カテーテル１は、必要時に、例えば、ＭＲＩ造影性を示す液状の造影剤（以下、単に「ＭＲＩ造影剤」と言う。）を流路４に注入して使用される。流路４内にＭＲＩ造影剤（液体）を注入すると、流路４内の気体（例えば空気等）がＭＲＩ造影剤と置換され、吸収剤５がＭＲＩ造影剤を吸収、膨潤することにより流路４内でＭＲＩ造影剤が保持されるので、カテーテル１を生体内に挿入する際に、ＭＲＩ造影によりカテーテル本体２を視認することができ、その操作を容易かつ正確に行うことができる。また、必要時に、ＭＲＩ造影剤を流路４内に供給（注入）するので、すなわち、流路４内（カテーテル本体２内）にＭＲＩ造影剤を収納した状態で保管しないので、カテーテル本体２とＭＲＩ造影剤とが長期接触することによるカテーテル本体２やＭＲＩ造影剤の変質・劣化等を好適に防止することができる。
【００３８】
ここで、ＭＲＩ造影剤としては、例えば、ガドテル酸メグルミン、ガドテリドール、フェルモキシデス、クエン酸鉄アンモニウム、ガドペンテト酸メグルミン等を、所定の溶媒（例えば、注射用水等）に溶解したものが挙げられる。
【００３９】
以下では、必要時に、流路４内にＭＲＩ造影剤を注入する形態のカテーテル１を一例に説明する。
【００４０】
本実施形態のカテーテル本体２は、図１に示すように、内腔２０を有する円管状の内管２１と、この内管２１の外周側に設けられた円管状の外管２２とを有し、先端部において内管２１と外管２２とが吸収剤５を介して接合されている。
【００４１】
すなわち、本実施形態では、内管２１と外管２２との間に流路４が形成され、この流路４の先端部に吸収剤５が収納されている。
【００４２】
なお、カテーテル本体２の内腔２０には、例えば、ガイドワイヤやカテーテル等の長尺物が挿通される。
【００４３】
内管２１と外管２２とは、図２に示すように、同心的に、かつ互いに離間して設けられている。これにより、内管２１と外管２２との間（カテーテル本体２の内部）に、カテーテル本体２の全周にわたって流路４が形成され、その横断面形状が円環状をなしている。また、吸収剤５は、円筒状をなしている。
【００４４】
吸収剤５が円筒状をなすことにより、ＭＲＩ造影剤が流路４の先端からカテーテル本体２外に流出するのを確実に防止することができる。
【００４５】
内管２１と外管２２との隙間の幅（流路４の幅）は、特に限定されないが、０．０５〜０．５ｍｍ程度であるのが好ましく、０．１〜０．３ｍｍ程度であるのがより好ましい。
【００４６】
一方、吸収剤５の長さは、特に限定されないが、０．３〜２ｍｍ程度であるのが好ましく、０．６〜１ｍｍ程度であるのがより好ましい。
【００４７】
本実施形態では、この吸収剤５は、ブロック状（または膜状）の多孔質体で構成されている。
【００４８】
ここで、多孔質体（多孔質部材）とは、隣接する空孔同士が連結した連続空孔を含むものであり、液体を吸収して膨潤する前には、気体の通過を許容するものである。すなわち、本実施形態では、多孔質体内に存在する連続空孔や吸収剤５と流路４の内面との間隙が、流路４内の気体をカテーテル本体２外に排出する排出路を構成している。
【００４９】
これにより、流路４内にＭＲＩ造影剤（液体）を注入したとき、流路４内の気体（例えば空気等）を排出路である多孔質体の連続空孔を介して、カテーテル本体２外に排出できるため、流路４内の圧力が高くなるのを防止することができる。このため、流路４の先端部にまで容易かつ確実にＭＲＩ造影剤を供給することができ、カテーテル１を生体内へ挿入する操作をより円滑に行うことができる。
【００５０】
この多孔質体は、液体を吸収する前の状態で、その空孔率が２０〜８０％程度であるのが好ましく、５０〜７０％程度であるのがより好ましい。これにより、気体の通過を十分に許容することができる。なお、空孔率が前記上限値を超えると、多孔質体の液体吸収能、流路４内に注入する液体の粘度等によっては、流路４内に注入した液体が多孔質体を介してカテーテル本体２外に漏出（流出）するおそれが高くなる。一方、空孔率が前記下限値未満であると、流路４内の気体を排出するのに時間を要すること、すなわち、流路４の先端部にまで液体を供給するのに時間を要することがある。
【００５１】
また、多孔質体は、液体を吸収する前の状態で、その平均孔径が５〜５０μｍ程度であるのが好ましく、１０〜２０μｍ程度であるのがより好ましい。これにより、気体の通過を十分に許容することができる。なお、平均孔径が前記上限値を超えると、多孔質体の液体吸収能、流路４内に注入する液体の粘度等によっては、流路４内に注入した液体が多孔質体を介してカテーテル本体２外に漏出（流出）するおそれが高くなる。一方、平均孔径が前記下限値未満であると、流路４内の気体を排出するのに時間を要すること、すなわち、流路４の先端部にまで液体を供給するのに時間を要することがある。
【００５２】
このような吸収剤５は、ＭＲＩ造影剤（液体）を吸収すると、膨潤して空孔や吸収剤５と流路４の内面との間隙（排出路）を閉塞する。すなわち、流路４が先端部において閉塞（遮断）される、これにより、ＭＲＩ造影剤が流路４の先端から（排出路を介して）カテーテル本体２外に流出するのを防止することができる。そして、流路４内でＭＲＩ造影剤が保持されるので、カテーテル１を生体内に挿入する際に、ＭＲＩ造影によりカテーテル本体２の先端部を視認することができ、その操作を容易かつ正確に行うことができる。
【００５３】
吸収剤５は、液体を吸収することにより単に膨潤するものであってもよいが、ゲル化し、体積が膨張するものであるのが好ましい。これにより、液体を吸収した際に、より確実に流路（排出路）４を閉塞することができる。
【００５４】
また、吸収剤５は、１ｇあたり５ｇ以上の液体（例えば、注射用水等の水）を吸収するものであるのが好ましく、２０ｇ以上の液体を吸収するものであるのがより好ましい。かかる量の液体を吸収する吸収剤５は、体積（容積）変化率が極めて大きいため、液体を吸収した際に、より確実に流路４を閉塞することができる。
【００５５】
このような吸収剤５の構成材料としては、特に限定されないが、例えば、でんぷん−アクリル二トリル、でんぷん−アクリル酸、でんぷん−アクリルアミド、でんぷん−ナトリウムアクリレートのようなアクリレート系のでんぷん（その加水分解物を含む）グラフト化物、部分ケン化したポリビニルアルコール、ポリアクリル酸塩系やアクリル酸−ビニルアルコール系重合体、ポリエチレンオキサイド、セルロース系重合体、架橋型Ｎ−ビニルカルボン酸アミド樹脂、アルファー化でんぷん、アクリル系重合体等が挙げられ、これらのうちの１種または２種以上を組み合わせて用いることができる。
【００５６】
さらに、多孔質体は、超音波造影性（超音波画像における視認性）を有するものが好ましい。これにより、流路４内にＭＲＩ造影剤を注入しない状態では、超音波画像によりカテーテル本体２の位置を確認することができる。すなわち、カテーテル１を生体内に挿入する際に、カテーテル本体２の位置を確認する方法として、ＭＲＩ造影と超音波造影との２つの方法を場合に応じて使い分けることができる。
【００５７】
ここで、多孔質体は、多くの気泡を含むため、固相と気相とにおいて超音波の反射率が大きく異なり、固相−気相界面において超音波の反射が生じ易く、一般に超音波造影性を有するが、その構成材料、空孔率（気孔率）、平均孔径等の条件を適宜設定することにより、特に優れた超音波造影性を示すものとなる。
【００５８】
多孔質体で構成される吸収剤５を、内管２１および外管２２に対して固定する方法としては、例えば、融着（熱融着、超音波融着、高周波融着）、接着剤による接着等の方法が挙げられる。
【００５９】
なお、多孔質体の形態としては、例えば、スポンジ状、網目（複数の線材を織った織布）状、細孔板（複数の貫通孔が形成された板体）状、不織布状、コイル状等が挙げられる。
【００６０】
内管２１の構成材料としては、特に限定されないが、例えば、ポリエチレン、ポリプロピレン、ポリブタジエン、エチレン−酢酸ビニル共重合体（ＥＶＡ）等のポリオレフィン、ポリ塩化ビニル、ポリアミド、アクリロニトリル−ブタジエン−スチレン共重合体（ＡＢＳ樹脂）、アクリロニトリル−スチレン共重合体（ＡＳ樹脂）、ポリエチレンテレフタレート（ＰＥＴ）、ポリブチレンテレフタレート（ＰＢＴ）等のポリエステル、ポリイミド、フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、ポリウレタン等、またはこれらを主とする共重合体、ブレンド体、ポリマーアロイ等が挙げられ、これらのうちの１種または２種以上を組み合わせて（例えば２層以上の積層体として）用いることができる。
【００６１】
特に、内管２１の構成材料としては、摩擦抵抗の小さい材料（低摩擦材料）を用いるのが好ましい、これにより、ガイドワイヤやカテーテル等の長尺物を、カテーテル本体２の内腔２０へ挿入する操作や、内腔２０から引き抜く操作等を容易かつ確実に行うことができるようになる。
【００６２】
かかる低摩擦材料としては、例えば、フッ素系樹脂、ポリエチレン、ポリプロピレン、ポリアミド等が挙げられる。
【００６３】
また、内管２１の内面には、シリコーン樹脂等による被膜を形成するようにしてもよい。これにより、内管２１の内面は、摩擦力がさらに低減される。
【００６４】
以上のような内管２１の寸法は、特に限定されないが、それぞれ、例えば、次のように設定される。
【００６５】
内管２１の外径は、０．５〜３．１ｍｍ程度であるのが好ましく、１．０〜２．４ｍｍ程度であるのがより好ましい。
【００６６】
内管２１の内径は、０．４〜２．９ｍｍ程度であるのが好ましく、０．９〜２．２ｍｍ程度であるのがより好ましい。
【００６７】
内管２１の長さは、１５０〜３０００ｍｍ程度であるのが好ましく、５００〜１５００ｍｍ程度であるのがより好ましい。
【００６８】
外管２２の構成材料としては、前記内管２１で挙げた材料と同様のものを用いることができる。
【００６９】
また、外管２２の外面の少なくとも一部（好ましくは、ハブ３から露出する部分）には、親水化処理が施されていてもよい。これにより、カテーテル本体２の外面が、血液や生理食塩水等の液体に接触した際に潤滑性が発現し、カテーテル本体２の摩擦抵抗が減少して、摺動性が一段と向上して、特に蛇行した血管等の管状器官への挿入操作がより容易となる。
【００７０】
この親水化処理は、例えば、プラズマ処理、グロー放電、コロナ放電、紫外線照射等の物理活性化処理の他、界面活性剤、水溶性シリコン、親水性高分子材料の付与（塗布）等により行うことができる。
【００７１】
ここで、親水性高分子材料としては、特に限定されないが、例えば、セルロース系高分子物質（例えば、ヒドロキシプロピルセルロース等）、ポリエチレンオキサイド系高分子物質（例えば、ポリエチレングリコール等）、無水マレイン酸系高分子物質（例えば、メチルビニルエーテル−無水マレイン酸共重合体等）、アクリルアミド系高分子物質（例えば、アクリルアミド−グリシジルメタクリレート共重合体等）、水溶性ナイロン等が挙げられ、これらのうちの１種または２種以上を組み合わせて用いることができる。
【００７２】
なお、このような親水性高分子材料を用いて、外管２２自体を構成するようにしてもよい。この場合、外管２２の外面への親水化処理を省略することもできる。
【００７３】
以上のような外管２２の寸法は、特に限定されないが、それぞれ、例えば、次のように設定される。
【００７４】
外管２２の外径は、０．７〜３．４ｍｍ程度であるのが好ましく、１．３〜２．７ｍｍ程度であるのがより好ましい。
【００７５】
外管２２の内径は、０．６〜３．３ｍｍ程度であるのが好ましく、１．２〜２．６ｍｍ程度であるのがより好ましい。
【００７６】
外管２２の長さは、１５０〜３０００ｍｍ程度であるのが好ましく、５００〜１５００ｍｍ程度であるのがより好ましい。
【００７７】
なお、吸収剤５と内管２１との間や、吸収剤５と外管２２との間に、Ｘ線不透過性材料で構成したリング状（円環状）またはフィラメント状のＸ線不透過性マーカー（放射線不透過性マーカー）を設けるようにしてもよい。これにより、流路４内にＭＲＩ造影剤を注入しない状態では、Ｘ線画像によりカテーテル本体２の位置を確認することができる。すなわち、カテーテル１を生体内に挿入する際に、カテーテル本体２の位置を確認する方法として、ＭＲＩ造影とＸ線造影との２つの方法を場合に応じて使い分けることができる。
【００７８】
このようなＸ線不透過性材料としては、例えば、金、白金、タングステン、イリジウムまたはこれらを含む合金のような金属材料、酸化ビスマス、硫酸バリウムのような金属酸化物等が挙げられ、これらのうちの１種または２種以上を組み合わせて用いることができる。
【００７９】
このようなカテーテル本体２の先端部は、外径が先端方向に向かって縮径している。換言すれば、その角が切り取られたような形状（テーパ形状）をなしている。これにより、カテーテル本体２を血管等の生体内に挿入する際に、穿刺抵抗を低下させることができ、挿入をより円滑に行うことができる。また、血管内壁へダメージを与えることも防止することができる。このようなことから、カテーテル本体２の挿入の操作性および安全性を向上させることができる。
【００８０】
カテーテル本体２の基端側には、第１のポートと第２のポート（サイドポート）とを備え、全体形状がＹ字状をなすハブ３が設けられている。術者は、このハブ３を把持することにより、カテーテル１を容易に操作（押し込み、ねじり等）することができる。
【００８１】
ハブ３は、内管２１の基端部に固定された内管ハブ３１と、外管２２の基端部に固定された外管ハブ３２とを有し、これらが接合されて構成されている。
【００８２】
内管ハブ３１は、ほぼ円筒状の部材で構成されている。
内管ハブ３１は、その先端部において内径が拡径した先端側拡径部３１１を有している。先端側拡径部３１１の内径は、内管２１の外径とほぼ等しく設定されている。
【００８３】
この先端側拡径部３１１に、内管２１の基端部が挿入され、内管２１が内管ハブ３１に対して固定（固着）されている。これにより、内管ハブ３１の内腔と、内管２１（カテーテル本体２）の内腔２０とが連通している。
【００８４】
内管２１の内管ハブ３１に対する固定の方法としては、例えば、融着（熱融着、超音波融着、高周波融着）、接着剤による接着等の方法が挙げられる。
【００８５】
一方、内管ハブ３１は、その基端部において内径が拡径した基端側拡径部３１２を有しており、この基端側拡径部３１２がハブ３の第１のポートを構成している。
【００８６】
この基端側拡径部（第１のポート）３１２を介して、カテーテル本体２の内腔２０内に、ガイドワイヤやカテーテル等の長尺物が挿入される。
【００８７】
また、内管ハブ３１は、その先端部において外径が縮径した内管ハブ側接続部３１３を有している。この内管ハブ側接続部３１３が、後述する外管ハブ３２の外管ハブ側接続部３２３内に挿入される。
【００８８】
外管ハブ３２は、ほぼ円筒状の部材で構成されている。
外管ハブ３２は、その先端部において内径が拡径した先端側拡径部３２１を有している。先端側拡径部３２１の内径は、外管２２の外径とほぼ等しく設定されている。
【００８９】
この先端側拡径部３２１に、外管２２の基端部が挿入され、外管２２が外管ハブ３２に対して固定（固着）されている。
【００９０】
外管２２の外管ハブ３２に対する固定の方法としては、例えば、融着（熱融着、超音波融着、高周波融着）、接着剤による接着等の方法が挙げられる。
【００９１】
外管ハブ３２の基端部側方には、筒状の突出部３２２が突出形成されている。この突出部３２２は、その内腔が外管ハブ３２の内腔と連通しており、ハブ３の第２のポート（サイドポート）を構成している。
【００９２】
また、外管ハブ３２は、その基端部に外管ハブ側接続部３２３を有している。この外管ハブ側接続部３２３に、前述した内管ハブ３１の内管ハブ側接続部３１３が挿入され、これにより、内管ハブ３１と外管ハブ３２とが液密に接合されている。
【００９３】
外管ハブ３２の内管ハブ３１に対する固定の方法としては、例えば、嵌合、カシメ、螺合、融着（熱融着、超音波融着、高周波融着）、接着剤による接着等の方法が挙げられる。なお、これらの方法を組み合わせてもよい。
【００９４】
また、内管ハブ３１と外管ハブ３２とは、射出成形等により予め一体的に形成されたものであってもよい。
【００９５】
また、外管ハブ３２の内径は、内管２１の外径より大きく、かつ外管２２の外径より小さく（またはほぼ等しく）設定されており、図１に示すように、外管ハブ３２と内管２１との間には、空間３０が形成（確保）されている。
【００９６】
この空間３０は、その先端側において、カテーテル本体２の流路４に連通し、その基端側において突出部（第２のポート）３２２の内腔に連通している。換言すれば、カテーテル本体２の流路４は、その基端側が突出部３２２においてハブ３の側方に開放している。これにより、突出部３２２を介して、ＭＲＩ造影剤をカテーテル本体２の流路４内に注入できるようになっている。
【００９７】
このような構成により、カテーテル本体２の内腔２０内に、ガイドワイヤやカテーテル等の長尺物を挿入・抜去する部位（第１のポート）と、ＭＲＩ造影剤を収納したシリンジ等が接続される部位（第２のポート）とを分けることができるようになる。これにより、カテーテル本体２に対する前記長尺物の挿入・抜去操作と、カテーテル本体２（流路４内）に液体を供給する操作とを、それぞれ独立して行うことができ、カテーテル１の操作性をより向上させることができる。
【００９８】
このようなハブ（Ｙ型分岐コネクタ）３の構成材料としては、特に限定されないが、例えば、ポリエチレン、ポリプロピレン等のポリオレフィン、ポリアミド、ポリカーボネート、ポリスチレンのような硬質な樹脂材料、各種金属材料、各種プラスチック材料等のうちの１種または２種以上を組み合わせて用いることができる。
【００９９】
なお、カテーテル１の使用時には、第２のポートの基端部には、図示しない逆止弁や多方活栓等が装着される。これにより、カテーテル本体２の流路４内に供給したＭＲＩ造影剤（液体）が、ハブ３側からカテーテル１外に流出するのを防止することができる。
【０１００】
このようなカテーテル１では、カテーテル本体２の流路４のほぼ全体に、ＭＲＩ造影剤を供給することにより、カテーテル本体２のほぼ全体にＭＲＩ造影性を付与することができる。また、流路４のほぼ全体に、ＭＲＩ造影剤を供給した後、流路４内のＭＲＩ造影剤を第２のポートから吸引して除去することにより、吸収剤５のみにＭＲＩ造影剤が吸収、保持された状態となり、カテーテル本体２の先端部に選択的なＭＲＩ造影性を付与することもできる。
【０１０１】
＜＜第２実施形態＞＞
次に、カテーテルの第２実施形態について説明する。
【０１０２】
図３は、本発明の医療用具を適用したカテーテルの第２実施形態の先端部を示す縦断面図であり、（ａ）は吸収剤が液体を吸収する前の状態を示し、（ｂ）は吸収剤が液体を吸収した後の状態を示す。なお、以下では、図３中の右側を「基端」、左側を「先端」として説明する。
【０１０３】
以下、第２実施形態について説明するが、前記第１実施形態との相違点を中心に説明し、同様の事項はその説明を省略する。
【０１０４】
第２実施形態では、流路４の構成、および吸収剤５の配設位置が異なり、それ以外は、前記第１実施形態と同様である。
【０１０５】
すなわち、図３に示すカテーテル本体２は、流路４がその先端部に横断面積が減少した横断面積減少部４１を有しており、そして、この横断面積減少部４１より基端側であって、横断面積減少部４１の近傍に吸収剤５が収納されている（図３（ａ）参照）。
【０１０６】
また、吸収剤５は、円筒状をなしており、その内径が内管２１の外径より大きく設定されており、内管２１との間に空間（空隙）５１が形成されている。
【０１０７】
このようなカテーテル１では、流路４内にＭＲＩ造影剤を注入すると、流路４内の気体は、空間５１および横断面積減少部４１を介して、カテーテル本体２外に排出される。そして、ＭＲＩ造影剤が流路４の先端部に到達して、流路４内がＭＲＩ造影剤で置換される。そして、ＭＲＩ造影剤が吸収剤５に接触すると、吸収剤５がＭＲＩ造影剤を吸収することにより膨潤して内管２１の外面に密着する。これにより、膨潤した吸収剤５により流路４（空間５１）が閉塞され、その結果、ＭＲＩ造影剤が流路４の先端から流出するのが防止される（図３（ｂ）参照）。
【０１０８】
また、横断面積減少部４１の基端側近傍に吸収剤５が収納されていることにより、カテーテル本体２のより先端に近い位置にまで、ＭＲＩ造影剤を注入することができる。
このような構成によっても、前記第１実施形態と同様の作用・効果が得られる。
【０１０９】
なお、かかる構成の場合（第３〜第５実施形態も同様）、吸収剤５には、例えば粒状や塊状（ペレット状）のものを用いることもできる。
【０１１０】
吸収剤５として粒状のものを用いる場合、その平均粒径は、２０〜３００μｍ程度であるのが好ましく、５０〜１５０μｍ程度であるのがより好ましい。
【０１１１】
＜＜第３実施形態＞＞
次に、カテーテルの第３実施形態について説明する。
【０１１２】
図４は、本発明の医療用具を適用したカテーテルの第３実施形態の先端部を示す縦断面図であり、（ａ）は吸収剤が液体を吸収する前の状態を示し、（ｂ）は吸収剤が液体を吸収した後の状態を示す。なお、以下では、図４中の右側を「基端」、左側を「先端」として説明する。
【０１１３】
以下、第３実施形態について説明するが、前記第１および第２実施形態との相違点を中心に説明し、同様の事項はその説明を省略する。
【０１１４】
第３実施形態では、流路４が先端で開放する位置が異なり、それ以外は、前記第２実施形態と同様である。
【０１１５】
すなわち、図４に示すカテーテル本体２は、流路４の先端が内腔２０に開放しており、先端部において内管２１と外管２２とが接合されている。
【０１１６】
一般に、カテーテル１は、カテーテル本体２内にガイドワイヤやカテーテル等の長尺物を挿入した状態で使用される。このため、流路４の先端が内腔２０に開放していると、この長尺物により流路４の先端が覆われ、流路４内に体液が侵入し難くなる。これにより、吸収剤５が吸収、保持したＭＲＩ造影剤が体液により薄まる（希釈される）ことが防止され、カテーテル本体２をより確実に視認することができる。
【０１１７】
また、カテーテル本体２の先端部において、内管２１と外管２２とが接合されているので、カテーテル本体２を例えば血管等の生体内に挿入した際に、先端部が血管の管壁に触れて、内管２１の先端部や外管２２の先端部が反り返ることを防止して、患者の苦痛が増大するのを防止することができる。
【０１１８】
このような構成によっても、前記第１および第２実施形態と同様の作用・効果が得られる。
【０１１９】
＜＜第４実施形態＞＞
次に、カテーテルの第４実施形態について説明する。
【０１２０】
図５は、本発明の医療用具を適用したカテーテルの第４実施形態の先端部を示す縦断面図であり、（ａ）は吸収剤が液体を吸収する前の状態を示し、（ｂ）は吸収剤が液体を吸収した後の状態を示す。なお、以下では、図５中の右側を「基端」、左側を「先端」として説明する。
【０１２１】
以下、第４実施形態について説明するが、前記第１および第２実施形態との相違点を中心に説明し、同様の事項はその説明を省略する。
【０１２２】
第４実施形態では、吸収剤５の配設位置が異なり、それ以外は、前記第２実施形態と同様である。
【０１２３】
すなわち、図５に示すカテーテル本体２は、吸収剤５の先端部が外管２２の横断面積減少部４１の外周側の部分に埋設されている。これにより、外管２２の一部が吸収剤５の内側に位置している。この部分は、円環状の薄肉部を形成し、応力が付与されると、容易に変形する易変形部２２１を構成する。
【０１２４】
かかる構成により、吸収剤５がＭＲＩ造影剤を吸収して膨潤すると、易変形部２１１が内管２１に向かって変形して内管２１と外管２２とが密着し、流路４（空間５１）が閉塞される（図５（ｂ）参照）。
【０１２５】
すなわち、本実施形態では、この易変形部２２１が、吸収剤５がＭＲＩ造影剤（液体）を吸収して膨潤することにより、流路（排出路）４を閉塞し得る弁を構成する。
【０１２６】
このような構成によっても、前記第１および第２実施形態と同様の作用・効果が得られる。
【０１２７】
特に、第４実施形態では、吸収剤５が膨潤することのみならず、内管２１と外管２２とが密着することにより、流路４が閉塞されるため、ＭＲＩ造影剤が流路４の先端から流出するのをより確実に防止することができる。また、体液が横断面積減少部４１を介して流路４内に侵入することも確実に防止することができる。
【０１２８】
なお、吸収剤５は、外管２２に代えて、内管２１に埋設するようにしてもよく、内管２１および外管２２の双方に埋設するようにしてもよい。
【０１２９】
＜＜第５実施形態＞＞
図６は、本発明の医療用具を適用したカテーテルの第５実施形態の先端部を示す縦断面図、図７は、図６中のＣ−Ｃ線断面図である。なお、以下では、図６中の右側を「基端」、左側を「先端」として説明する。
【０１３０】
以下、第５実施形態について説明するが、前記第１および第２実施形態との相違点を中心に説明し、同様の事項はその説明を省略する。
【０１３１】
第５実施形態では、流路４および吸収剤５の構成が異なり、それ以外は、前記第２実施形態と同様である。
【０１３２】
すなわち、図６に示すカテーテル本体２は、流路４が外管２２の内面に長手方向に沿って形成された溝と、内管２１の外面とで画成されており、一直線状をなしている。なお、図示の構成では、溝の縁部の形状は、ほぼＵ字状をなしているが、これに限定されず、例えば、半円状、コ字状、Ｖ字状等であってもよい。
【０１３３】
また、流路４の横断面積減少部４１の近傍には、円柱状の吸収剤５が収納されており、内管２１との間に空間（空隙）５１が形成されている。
【０１３４】
このような構成によっても、前記第１および第２実施形態と同様の作用・効果が得られる。
【０１３５】
特に、第５実施形態では、内管２１と外管２２との接触面積を増大させることができるため、カテーテル本体２の機械的強度の向上を図る（剛性を高める）ことができ、さらに、カテーテル本体２の先端へのトルク伝達性を高めることができる。
【０１３６】
また、流路４がカテーテル本体２の周方向の一部に形成されるため、流路４にＭＲＩ造影性を付与することにより、生体内においてカテーテル本体２に生じた捩れの程度を視認（確認）することもできる。
【０１３７】
また、流路４のほぼ全体に、ＭＲＩ造影剤を供給した後、流路４内のＭＲＩ造影剤を第２のポートから吸引して除去することにより、吸収剤５のみにＭＲＩ造影剤を吸収、保持させて、カテーテル本体２の先端部に選択的なＭＲＩ造影性を付与する場合、流路４内に残存するＭＲＩ造影剤の量をより少量とすることができる。このため、カテーテル本体２の先端部により選択的なＭＲＩ造影性を付与することができる。
【０１３８】
＜＜第６実施形態＞＞
図８は、本発明の医療用具を適用したカテーテルの第６実施形態の先端部を示す縦断面図である。なお、以下では、図８中の右側を「基端」、左側を「先端」として説明する。
【０１３９】
以下、第６実施形態について説明するが、前記第１および第２実施形態との相違点を中心に説明し、同様の事項はその説明を省略する。
【０１４０】
第６実施形態では、吸収剤５の配設個数が異なり、それ以外は、前記第２実施形態と同様である。
【０１４１】
すなわち、図８に示すカテーテル本体２は、吸収剤５を複数有し、複数の吸収剤５が流路４の長手方向に沿って、ほぼ一定の間隔で収納（配設）されている。
【０１４２】
第６実施形態では、流路４のほぼ全体に、ＭＲＩ造影剤を供給した後、流路４内のＭＲＩ造影剤を第２のポートから吸引して除去することにより、各吸収剤５のみにＭＲＩ造影剤が吸収、保持される。したがって、カテーテル本体２を生体内に挿入したとき、各吸収剤５の部分を目盛り（マーカ）として機能させることができる。
【０１４３】
この場合、先端側の吸収剤５の液体吸収能が、基端側の吸収剤５の液体吸収能より高くなるようにするのが好ましい。これにより、流路４の先端部にまで確実にＭＲＩ造影剤を供給（注入）することができる。
【０１４４】
吸収剤５の液体吸収能を異ならせる方法としては、例えば、構成材料（吸水性材料）の選択、空孔率の設定、平均孔径の設定、吸収剤５中の吸水性材料の含有量の設定等、またはこれらの組み合わせが挙げられる。
【０１４５】
このような構成によっても、前記第１および第２実施形態と同様の作用・効果が得られる。
【０１４６】
また、カテーテル１は、前記第１〜第６実施形態のうちの任意の２以上の構成（特徴）を組み合わせたものであってもよい。
【０１４７】
また、以上の各実施形態で示したカテーテル１では、カテーテル本体２の内部（管壁の内部）、すなわち、内管２１と外管２２との間に、補強部材を設置（埋設）するようにしてもよい。これにより、カテーテル１におけるトルク伝達性、押し込み性、耐キンク性、追従性等が向上し、カテーテル本体２を生体（例えば血管等）内へ挿入する際の操作性が向上するとともに、流路４の内圧（液圧）が高まった際の耐圧性が向上する。
【０１４８】
この場合、補強部材は、好ましくはカテーテル本体２のほぼ全長にわたって配設するが、カテーテル本体２の先端部には、配設しないのが好ましい。これにより、カテーテル本体２の先端部の柔軟性を十分に確保することができ、生体内への挿入時の追従性、安全性を確保することができる。
【０１４９】
また、補強部材は、その少なくとも一部が内管２１の外面、または外管２２の内面に埋入するよう配設するのが好ましい。
【０１５０】
このような補強部材としては、網状またはコイル状に形成された線材で構成されたものが好ましい。このような補強部材は、線材の構成材料、線径、配設密度（網目の大きさやコイルの巻き数等に依存する）等の条件を適宜選択することにより、容易に、補強部材の強度を所望の強度に調整することができる。
【０１５１】
線材の構成材料としては、例えば、ステンレス鋼、タングステン、Ｔｉ、Ｎｉ−Ｔｉ系合金等の金属材料や、高密度ポリエチレン、アラミド、ケブラー等の強化樹脂繊維、炭素繊維等が挙げられる。
【０１５２】
なお、線材の構成材料として、タングステン等のＸ線不透過性材料を選択すれば、カテーテル本体２のほぼ全長にわたってＸ線造影性を付与することができる。
【０１５３】
また、線材の線径は、特に限定されないが、３〜１００μｍ程度であるのが好ましく、２０〜６０μｍ程度であるのがより好ましい。
【０１５４】
＜ガイドワイヤ＞
次に、本発明の医療用具をガイドワイヤに適用した場合について説明する。
【０１５５】
図９は、本発明の医療用具を適用したガイドワイヤの実施形態を示す縦断面図である。なお、以下では、説明の都合上、図９中の右側を「基端」、左側を「先端」と言う。
【０１５６】
以下、ガイドワイヤについて説明するが、前記第１実施形態のカテーテル１との相違点を中心に説明し、同様の事項はその説明を省略する。
【０１５７】
図９に示すガイドワイヤ１００は、可撓性を有するガイドワイヤ本体（長尺な線状体）２００と、ガイドワイヤ本体２００の基端側に設けられたガイドワイヤ本体２００と脱着可能なハブ３００とを有している。
【０１５８】
ガイドワイヤ本体２００は、先端から生体（例えば血管等の管状器官）内に挿入して使用される部位である。
【０１５９】
このガイドワイヤ本体２００は、その内部の長手方向に沿って形成され、かつ先端部に先端開口２０２１で開放する、液体を移送可能な流路４００と、流路４００の先端部に収納され、前記液体を吸収して保持する機能を有する吸収剤５００とを有している。
【０１６０】
本実施形態のガイドワイヤ本体２００は、図９に示すように、横断面形状が円形の線状をなすコア部（芯材）２０１と、このコア部２０１の少なくとも先端側（本実施形態では、全体）を覆うように設けられた被覆層２０２とで構成されている。
【０１６１】
コア部２０１と被覆層２０２とは、図９に示すように、それらの主たる部分が同心的に、かつ互いに離間して設けられており、基端部において接合部２０００において接合（固定）されている。これにより、ガイドワイヤ本体２の接合部２０００より先端側において、コア部２０１と被覆層２０２との間（ガイドワイヤ本体２００の内部）に流路４００が形成されている。
【０１６２】
この流路４００は、その主たる部分がガイドワイヤ本体の全周にわたって形成され、その横断面形状が円環状をなしているが、ガイドワイヤ本体２００の先端部において合流して、一体となっている。
【０１６３】
コア部２０１は、柔軟性または弾性を有する線材で構成されている。
本実施形態では、コア部２０１は、その外径が一定である部分と、外径が先端方向へ向かって漸減している部分（外径漸減部）とを有する。後者は、１箇所でも２箇所以上でもよく、図示の実施形態では、１箇所の外径漸減部（テーパ部）２０１１を有している。
【０１６４】
このような外径漸減部２０１１を有することにより、コア部２０１の剛性（曲げ剛性、ねじり剛性）を先端方向に向かって徐々に減少させることができ、その結果、ガイドワイヤ本体２００は、先端部に良好な柔軟性を得て、血管への追従性、安全性が向上すると共に、折れ曲がり等も防止することができる。
【０１６５】
図示の構成では、外径漸減部２０１１は、コア部２０１の長手方向の一部（先端部）に形成されているが、コア部２０１の全体が外径漸減部を構成していてもよい。また、外径漸減部２０１１のテーパ角度（外径の減少率）は、コア部２０１長手方向に沿って一定でも、長手方向に沿って変化する部位があってもよい。例えば、テーパ角度（外径の減少率）が比較的大きい箇所と比較的小さい箇所とが複数回交互に繰り返して形成されているようなものでもよい。
【０１６６】
コア部２０１の外径漸減部２０１１より基端側の部分は、その外径がコア部２０１の基端付近まで一定となっている。
【０１６７】
コア部２０１の構成材料は、特に限定されず、例えば、ステンレス鋼、Ｔｉ、Ｎｉ−Ｔｉ系合金、タングステンなどの各種金属材料を使用することができる。
【０１６８】
なお、コア部２０１は、その先端部（外径漸減部２０１１）の構成材料と、それより基端側の構成材料とに、それぞれ異なる材料を用いるようにしてもよい。
【０１６９】
このコア部２０１（ガイドワイヤ本体２００）の全長は、特に限定されないが、２００〜５０００ｍｍ程度であるのが好ましく、１５００〜３０００ｍｍ程度であるのがより好ましい。
【０１７０】
コア部２０１（外径漸減部２０１１を除く）の外径は、特に限定されないが、０．３〜１．０ｍｍ程度であるのが好ましく、０．４〜０．８ｍｍ程度であるのがより好ましい。
【０１７１】
このコア部２０１を覆うように被覆層２０２が設けられ、被覆層２０２は、基端部の接合部２０００においてコア部２０１に固定（接合）されている。
【０１７２】
この被覆層２０２は、種々の目的で形成することができるが、その一例として、ガイドワイヤ本体２００の摩擦（摺動抵抗）を低減し、摺動性を向上させることによってガイドワイヤ１００の操作性を向上させることがある。
【０１７３】
なお、被覆層２０２のコア部２０１に対する固定の方法としては、例えば、融着（熱融着、超音波融着、高周波融着）、接着剤による接着等の方法が挙げられる。
【０１７４】
また、コア部２０１の基端部外面（表面）には、被覆層２０２の密着性を向上するための処理（粗面加工、化学処理、熱処理等）を施したり、被覆層２０２の密着性を向上し得る中間層を設けたりすることもできる。
【０１７５】
この被覆層２０２の先端には、先端開口２０２１が、基端側には、側方に開口する側孔２０２３が形成されており、この先端開口２０２１および側孔２０２３において流路４００がカテーテル本体２外に開放している。
【０１７６】
被覆層２０２は、前記第１実施形態のカテーテル１で説明した外管２２と同様の構成とすることができる。
【０１７７】
被覆層２０２内（流路４００）の先端部には、被覆層２０２とコア部２０１との双方に接触し、先端開口２０２１を塞ぐように、吸収剤（ブロック状の多孔質体）５００が設けられている。この吸収剤５００をコア部２０１および被覆層２０２と接合することにより、被覆層２０２を先端側において、コア部２０１に固定することができる。
【０１７８】
なお、吸収剤５００は、前記第１実施形態のカテーテル１で説明した吸収剤５と同様の構成とすることができる。
【０１７９】
また、ガイドワイヤ本体２００の先端部は、丸みを帯びた形状をなしている。これにより、ガイドワイヤ本体２００を血管等の生体内に挿入する際に、穿刺抵抗を低下させることができ、挿入をより円滑に行うことができる。また、血管内壁へダメージを与えることも防止することができる。このようなことから、ガイドワイヤ本体２００の挿入の操作性および患者の安全性を向上させることができる。
【０１８０】
ガイドワイヤ本体２００の基端側には、サイドポートを備えるガイドワイヤ本体２００と脱着可能なハブ３００が設けられている。術者は、このハブ３００を把持することにより、ガイドワイヤ１００を容易に操作（押し込み、ねじり等）することができる。
【０１８１】
ハブ３００は、ハブ本体３０１と、ハブ本体３０１の先端部および基端部に、それぞれ設けられた先端側蓋体３０２および基端側蓋体３０３とを有し、これらが螺合により固定されて構成されている。
【０１８２】
ハブ本体３０１は、ほぼ円筒状の部材で構成されている。
ハブ本体３０１の長手方向の中央部には、筒状の突出部３０１１が側方に向かって突出形成されている。この突出部３０１１は、その内腔がハブ本体３０１の内腔と連通しており、ハブ３００のサイドポートを構成している。
【０１８３】
この突出部３０１１は、ガイドワイヤ本体２００をハブ３００に固定した状態で、被覆層２０２に形成された側孔２０２３と対向配置される。これにより、ガイドワイヤ本体２００の流路４００は、その基端側が突出部３０１１においてハブ３００の側方に開放し、この突出部３０１１を介して、ＭＲＩ造影剤をガイドワイヤ本体２００の流路４００内に注入できるようになっている。また、突出部３０１１を介して、流路４００内のＭＲＩ造影剤を吸引することも可能である。さらに、突出部３０１１には、逆止弁や多方活栓（図示せず）等を装着することも可能である。
【０１８４】
また、ハブ本体３０１の内面には、長手方向に所定の間隔をあけて、１対のリング状の凸部３０１２、３０１３が突出形成されている。各凸部３０１２、３０１３は、それぞれ、ハブ本体３０１に後述する弁体３０４、３０５を挿入した際に、各弁体３０４、３０５が必要以上に内側に移動するのを防止する機能（位置決め機能）を有する。
【０１８５】
先端側蓋体３０２は、ほぼ円柱状の部材で構成され、そのほぼ中央部には、厚さ方向（図９中左右方向）に貫通する貫通孔３０２１が形成されている。この貫通孔３０２１には、ガイドワイヤ本体２００が挿通される。
【０１８６】
先端側蓋体３０２の基端面には、円環状（リング状）の凹部３０２２が凹没形成されている。そして、凹部３０２２の外周側には、ネジ山が設けられており、ハブ本体３０１の先端側に設けられたネジ溝と螺合している。
【０１８７】
また、先端側蓋体３０２の先端側には、外方に向かって円環状のフランジ３０２３が突出形成されている。
【０１８８】
一方、基端側蓋体３０３は、ほぼ円柱状の部材で構成され、そのほぼ中央部には、厚さ方向（図９中左右方向）に貫通する貫通孔３０３１が形成されている。この貫通孔３０３１には、ガイドワイヤ本体２００が挿通される。
【０１８９】
基端側蓋体３０３の先端面には、円環状（リング状）の凹部３０３２が凹没形成されている。そして、凹部３０３２の外周側には、ネジ山が設けられており、ハブ本体３０１の基端側に設けられたネジ溝と螺合している。
【０１９０】
また、基端側蓋体３０３の基端側には、外方に向かって円環状のフランジ３０３３が突出形成されている。このフランジ３０３３と、前述した先端側蓋体３０２のフランジ３０２３とを把持し、先端側蓋体３０２および基端側蓋体３０３を、ハブ本体３０１に対して所定の方向に回転させることにより、弁体３０４、３０５が内側に圧迫されて、弁体３０４、３０５の内径が収縮する。これにより、ガイドワイヤ本体２００をハブ３００に固定することが可能である。
【０１９１】
また、フランジ３０２３、３０３３を把持し、先端側蓋体３０２および基端側蓋体３０３を、ハブ本体３０１に対して、前記と逆の方向に回転させることにより、弁体３０４、３０５の圧迫が解除されて、弁体３０４、３０５の内径が拡大する。これにより、ガイドワイヤ本体２００をハブ３００から取り外すことが可能である。
【０１９２】
ハブ３００の構成材料には、前記第１実施形態のカテーテル１で説明したハブ３で挙げた材料と同様のものを用いることができる。
【０１９３】
また、ハブ本体３０１内の先端側と基端側とには、それぞれ弁体３０４、３０５が設けられている。
【０１９４】
各弁体３０４、３０５は、それぞれ、ほぼ円柱状の部材で構成され、そのほぼ中央部には、厚さ方向（図９中左右方向）に貫通する貫通孔３０４１、３０５１が形成されている。各貫通孔３０４１、３０５１には、それぞれ、ガイドワイヤ本体２００が挿通される。
【０１９５】
各弁体３０４、３０５は、それぞれ、弾性材料で構成されている。したがって、前述の通り、フランジ３０２３、３０３３を把持し、先端側蓋体３０２および基端側蓋体３０３を、ハブ本体３０１に対して所定の方向に回転させることにより、各貫通孔３０４１、３０５１が収縮し、弁体３０４、３０５がガイドワイヤ本体２００の外面に密着して、ガイドワイヤ本体２００をハブ３０に固定することが可能である。また、この状態で、ハブ３００内のＭＲＩ造影剤が供給される空間（液溜まり）３０００の液密性が確保される。
【０１９６】
このような弾性材料としては、例えば、シリコーンゴム、ラテックスゴム、ブチルゴム、イソプレンゴム等が挙げられる。
【０１９７】
以上のようなガイドワイヤ１００には、前記第２〜第６実施形態のカテーテル１の任意の１以上の構成（特徴）を組み合わせてもよい。
【０１９８】
なお、前記各実施形態では、流路４、４００内に、ＭＲＩ造影剤（ＭＲＩ造影性を示す液状の造影剤）を注入（供給）して使用する形態について説明したが、流路４、４００内には、Ｘ線造影性を示す液状の造影剤（Ｘ線造影剤）を注入して使用するようにしてもよい。
【０１９９】
この場合、Ｘ線造影剤には、例えば、前述したＸ線不透過性材料（放射線不透過性材料）で構成された粒子を、所定の分散媒（例えば、注射用水等）に分散したものが好適に使用される。
【０２００】
また、流路４、４００の内面の少なくとも一部あるいは吸収剤５、５００に、イオン化することによりＭＲＩ造影性を示す物質を付与しておき、必要時に、流路４、４００内に前記物質を溶解し得る溶解液を注入して使用する形態としてもよい。
【０２０１】
この場合、前記物質と溶解液との組み合わせとしては、例えば、クエン酸鉄アンモニウムと注射用水との組み合わせ、ガドペンテト酸メグルミンと注射用水との組み合わせ等が挙げられる。
【０２０２】
以上、本発明の医療用具を図示の実施形態について説明したが、本発明は、これに限定されるものではなく、医療用具を構成する各部は、同様の機能を発揮し得る任意の構成のものと置換することができる。また、任意の構成物が付加されていてもよい。
【０２０３】
また、前記実施形態では、本発明の医療用具をカテーテルおよびガイドワイヤに適用した場合を代表に説明したが、本発明の医療用具は、例えば、バルーンカテーテル、留置カテーテル、留置針（針体）、イントロデューサーシースおよびダイレーター等に適用することができる。
【実施例】
【０２０４】
次に、本発明の具体的実施例について説明する。
Ａ．カテーテルの製造
（実施例）
図３に示すカテーテルを製造した。なお、各部の仕様は、以下に示す通りである。
【０２０５】
１．カテーテル本体
１−１．内管
構成材料：ポリエチレン
内径    ：１．８ｍｍ
外径    ：２．０ｍｍ
長さ    ：１０００ｍｍ
【０２０６】
１−２．外管
構成材料：ポリエステル系熱可塑性エラストマー
内径    ：２．３ｍｍ
外径    ：２．６ｍｍ
長さ    ：９８０ｍｍ
【０２０７】
１−３．吸収剤
構成材料：でんぷん−アクリル二トリル
吸収剤を収納した範囲（長さ）：１．０ｍｍ
形状    ：粒状
平均粒径：７５μｍ（水を吸収する前の状態）
【０２０８】
２．ハブ
構成材料：ポリカーボネート
なお、流路の容積は、約１．０ｍＬであった。また、吸収剤は、１ｇあたり２０ｇ以上の水を吸収してゲル化するものを用いた。
【０２０９】
（比較例）
吸収剤を省略して、内管と外管とを先端部においてエポキシ系接着剤で接合した以外は、前記実施例と同様にしてカテーテルを製造した。
【０２１０】
Ｂ．評価
実施例および比較例で製造したカテーテルのサイドポートに、それぞれＭＲＩ造影剤を収納したシリンジの先端部を接続し、カテーテルの空間内にＭＲＩ造影剤（ゲルベ社製、「マグネスコープシリンジ」）を注入した。
【０２１１】
その結果、実施例のカテーテルでは、シリンジの押し子を移動させる１回の操作で、ＭＲＩを流路の先端部（液体収納空間）まで十分に注入することができた。また、ＭＲＩ造影剤の流出は、確認されなかった。
【０２１２】
これに対して、比較例のカテーテルでは、流路の先端部までＭＲＩ造影剤を注入するのに、シリンジからのＭＲＩ造影剤の注入操作、および他のシリンジを用いて流路内の空気の除去操作を繰り返し行う必要があった。
【０２１３】
また、ＭＲＩ造影下において、流路内に充填されたＭＲＩ造影剤の状態を確認したところ、実施例のカテーテルでは、流路内に均一にＭＲＩ造影剤が注入されていた。
【０２１４】
これに対して、比較例のカテーテルでは、流路内に空気が残存する箇所が確認された。すなわちＭＲＩ造影剤の注入が不均一であった。
【０２１５】
また、図１、図４、図５、図６および図８に示すカテーテル、図９に示すガイドワイヤを製造し、前記と同様にして、流路内にＭＲＩ造影剤を注入したところ、前記と同様の結果が得られた。
【図面の簡単な説明】
【０２１６】
【図１】本発明の医療用具を適用したカテーテルの第１実施形態を示す縦断面図である。
【図２】図１中のＡ−Ａ線断面図（ａ）およびＢ−Ｂ線断面図（ｂ）である。
【図３】本発明の医療用具を適用したカテーテルの第２実施形態の先端部を示す縦断面図である。
【図４】本発明の医療用具を適用したカテーテルの第３実施形態の先端部を示す縦断面図である。
【図５】本発明の医療用具を適用したカテーテルの第４実施形態の先端部を示す縦断面図である。
【図６】本発明の医療用具を適用したカテーテルの第５実施形態の先端部を示す縦断面図である。
【図７】図６中のＣ−Ｃ線断面図である。
【図８】本発明の医療用具を適用したカテーテルの第６実施形態の先端部を示す縦断面図である。
【図９】本発明の医療用具を適用したガイドワイヤの実施形態を示す縦断面図である。
【符号の説明】
【０２１７】
１            カテーテル
２            カテーテル本体
２０          内腔
２１          内管
２２          外管
２２１        易変形部
３            ハブ
３０          空間
３１          内管ハブ
３１１        先端側拡径部
３１２        基端側拡径部
３１３        内管ハブ側接続部
３２          外管ハブ
３２１        先端側拡径部
３２２        突出部
３２３        外管ハブ側接続部
４            流路
４１          横断面積減少部
５            吸収剤
５１          空間
１００        ガイドワイヤ
２００        ガイドワイヤ本体
２０００      接合部
２０１        コア部
２０１１      外径漸減部
２０２        被覆層
２０２１      先端開口
２０２３      側孔
３００        ハブ
３０００      空間
３０１        ハブ本体
３０１１      突出部
３０１２、３０１３  凸部
３０２        先端側蓋体
３０２１      貫通孔
３０２２      凹部
３０２３      フランジ
３０３        基端側蓋体
３０３１      貫通孔
３０３２      凹部
３０３３      フランジ
３０４、３０５  弁体
３０４１、３０５１  貫通孔
４００        流路
５００        吸収剤
【図１】
2007260306.tif 000003
【図２】
2007260306.tif 000004
【図３】
2007260306.tif 000005
【図４】
2007260306.tif 000006
【図５】
2007260306.tif 000007
【図６】
2007260306.tif 000008
【図７】
2007260306.tif 000009
【図８】
2007260306.tif 000010
【図９】
2007260306.tif 000011